(57)【要約】【課題】  データドライバ間の信号転送をノイズの影響を受けないで安定して行なう。データドライバ間の信号転送の周波数を低くしディスプレイ起因の電磁妨害を低減する。データドライバ間の信号線数を削減し、ディスプレイフレーム幅を細くする。信号転送線のインピーダンスを低減する。【解決手段】  ディスプレイ２８０はピクセル回路を有する配列基板とピクセル回路を駆動するためのデータドライバ２６０ａ〜２６０ｅを含む。データドライバ２６０ａ〜２６０ｅは第１データドライバ２６０ａを含み、第１データドライバ２６０ａは第１クロック周波数に従いピクセルデータを受け取り、その一部を第２クロック周波数に従い第２データドライバ２６０ｂに送る。第２クロック周波数は第１クロック周波数と周波数が異なる。【選択図】  図３
2006350341.tif 000002
【特許請求の範囲】
【請求項１】
ピクセル回路を有する配列基板と、前記ピクセル回路を駆動するデータドライバを含むディスプレイであって、
前記データドライバは第１データドライバを含み、
前記第１データドライバは第１クロック周波数に従ってピクセルデータを受け取り、前記ピクセルデータの一部を第２クロック周波数に従って第２データドライバへ転送し、
前記第２クロック周波数は前記第１クロック周波数と異なるディスプレイ。
【請求項２】
前記第１データドライバは、交互のクロックサイクル中に、前記ピクセルデータの互いに異なる部分を前記第２データドライバと前記第３データドライバへ交互に送る請求項１に記載のディスプレイ。
【請求項３】
前記第２クロック周波数は前記第１クロック周波数より低い請求項１に記載のディスプレイ。
【請求項４】
前記第１データドライバから前記第２データドライバへ前記ピクセルデータを転送するためガラス基板上に配置された転送線を更に含む請求項１に記載のディスプレイ。
【請求項５】
前記第１データドライバは、前記ピクセルデータを前記第２データドライバへ送るためトランジスタ−トランジスタ−論理回路（ＴＴＬ）インターフェースを含む請求項１に記載のディスプレイ。
【請求項６】
前記第１データドライバは、前記ピクセルデータを前記第２データドライバへ送るため差動シグナル伝送インターフェースを含む請求項１に記載のディスプレイ。
【請求項７】
前記第２データドライバは、第１トランジスタ−トランジスタ−論理回路（ＴＴＬ）インターフェースと第２ＴＴＬインターフェースを含み、
前記第１ＴＴＬインターフェースは前記第１データドライバから前記ピクセルデータの一部を受け取り、
前記第２ＴＴＬインターフェースは前記ピクセルデータの一部を第３データドライバへ転送する請求項１に記載のディスプレイ。
【請求項８】
パルスを有する第１クロック信号を出力するタイミングコントローラと、
前記第１クロック信号の奇数番パルスに対応するパルスを有する第２クロック信号と、
前記第１クロック信号の偶数番パルスに対応するパルスを有する第３クロック信号とを更に含む請求項１に記載のディスプレイ。
【請求項９】
前記第１データドライバは、前記ピクセルデータの一部を前記第２クロック信号に従って前記第２データドライバへ送り、
前記ピクセルデータの一部を前記第３クロック信号に従って前記第３データドライバへ送る請求項８に記載のディスプレイ。
【請求項１０】
ピクセル回路を有する配列基板と、第１データドライバと、第２データドライバを含むディスプレイであって、
前記第１データドライバは、タイミングコントローラからピクセルデータを受け取り、前記ピクセルデータをピクセル回路の第１部分を駆動するのに使用し、
更に前記第１データドライバは前記タイミングコントローラから付加ピクセルデータを受け取るが、前記付加ピクセルデータはピクセル回路を駆動するのに使用せず、
前記第２データドライバは前記第１データドライバから前記付加ピクセルデータを受け取り、ピクセル回路の第２部分を駆動するのに使用するディスプレイ。
【請求項１１】
前記第１データドライバは、前記ディスプレイのガラス基板に取り付けられた信号線を通して前記付加ピクセルデータを第２データドライバへ送る請求項１０に記載のディスプレイ。
【請求項１２】
前記第１データドライバは、前記タイミングコントローラから第１クロック周波数に従って付加ピクセルデータを受け取り、
前記第１データドライバは、前記付加ピクセルデータを、前記第１クロック周波数とは異なる第２クロック周波数に従って前記第２データドライバへ送る請求項１０に記載のディスプレイ。
【請求項１３】
前記第１データドライバは、前記ピクセル回路の前記第１部分を駆動するための前記ピクセルデータを前記タイミングコントローラから第１番号の信号線を通して受け取り、
前記第１データドライバは、前記第２データドライバ用の前記付加ピクセルデータを前記タイミングコントローラから第２番号の信号線を通して受け取り、
前記第１番号と前記第２番号が異なる請求項１０に記載のディスプレイ。
【請求項１４】
前記第１データドライバは、前記付加ピクセルデータを前記第２データドライバへ送るためトランジスタ−トランジスタ−論理回路（ＴＴＬ）インターフェースを含む請求項１０に記載のディスプレイ。
【請求項１５】
前記第１データドライバは、前記付加ピクセルデータを前記第２データドライバへ送るため差動シグナル伝送インターフェースを含む請求項１０に記載のディスプレイ。
【請求項１６】
ピクセル回路を有する配列基板とデータドライバを含むディスプレイであって、
前記データドライバは前記ピクセル回路を駆動し、
前記データドライバは第１データドライバを含み、
前記第１データドライバは第１番号の信号線を通してピクセルデータを受け取り、前記ピクセルデータの一部を第２番号の信号線を通して第２データドライバへ転送し、
前記第２番号は前記第１番号と異なり、
前記第２データドライバは受け取ったピクセルデータを対応するピクセル回路の駆動に用いるディスプレイ。
【請求項１７】
前記第１データドライバは同時に前記第２データドライバと第３データドライバへピクセルデータの互いに異なる部分を送る請求項１６に記載のディスプレイ。
【請求項１８】
前記第２番号が前記第１番号より小である請求項１６に記載のディスプレイ。
【請求項１９】
前記第２番号の信号線はガラス基板上に配置されている請求項１６に記載のディスプレイ。
【請求項２０】
前記第１データドライバは前記ピクセルデータを前記第２データドライバへ送るためトランジスタ−トランジスタ−論理回路（ＴＴＬ）インターフェースを含み、
前記第２データドライバは前記ピクセルデータを受け取るためＴＴＬインターフェースを含む請求項１６に記載のディスプレイ。
【請求項２１】
基板と、前記基板上に配置されたピクセル回路配列と、タイミングコントローラと、第１データドライバと、第２データドライバと、第３データドライバを含むディスプレイであって、
前記タイミングコントローラはピクセルデータ、第１クロック信号、第２クロック信号、第３クロック信号を出力し、
前記第２、第３クロック信号の周波数は前記第１クロック信号の周波数より低く、
前記第１データドライバは対応するピクセル回路を駆動し、
前記第２データドライバは対応するピクセル回路を駆動し、
前記第３データドライバは対応するピクセル回路を駆動し、
第１期間に前記第１データドライバはピクセルデータを前記第１クロック信号に従って前記タイミングコントローラから受け取り、バッファに前記ピクセルデータを格納し、
第２期間に前記第１データドライバはピクセルデータをタイミングコントローラから第１クロック信号に従って受け取り、前記ピクセルデータの一部を第２データドライバへ前記第２クロック信号に従って送り、前記ピクセルデータの一部を第３データドライバへ第３クロック信号に従って送り、前記第２、第３データドライバは受け取った前記ピクセルデータをバッファに格納するディスプレイ。
【請求項２２】
第４データドライバと、第５データドライバを更に含む請求項２１記載のディスプレイであって、
第３期間に前記第２データドライバと前記第３データドライバはピクセルデータを前記第１データドライバから受け取り、前記受け取ったピクセルデータをそれぞれ前記第４、第５データドライバへ転送し、
前記第４、第５データドライバは前記受け取ったピクセルデータをバッファに格納する請求項２１に記載のディスプレイ。
【請求項２３】
第５期間に前記第１、第２、第３、第４、第５データドライバはそれぞれのバッファに格納したピクセルデータにより対応するピクセル回路を駆動する請求項２２に記載のディスプレイ。
【請求項２４】
ピクセルデータを第１クロック周波数でタイミングコントローラから第１データドライバへ転送し、
前記ピクセルデータを第２クロック周波数で前記第１データドライバから第２データドライバへ転送し、
前記第２クロック周波数は前記第１クロック周波数と異なるディスプレイの駆動方法。
【請求項２５】
前記第２データドライバが受け取った前記ピクセルデータに基づき、前記第２データドライバを使用してピクセル回路を駆動することも含む請求項２４に記載のディスプレイの駆動方法。
【請求項２６】
ピクセルデータをタイミングコントローラから第１番号の信号線を通して第１データドライバへ転送し、
前記ピクセルデータを前記第１データドライバから第２番号の信号線を通して第２データドライバへ転送し、
前記第１番号が前記第２番号と異なるディスプレイの駆動方法。
【請求項２７】
前記第２データドライバが受け取った前記ピクセルデータに基づき、前記第２データドライバを使用してピクセル回路を駆動することも含む請求項２６に記載のディスプレイの駆動方法。
【請求項２８】
ピクセル回路を有する配列基板を含むディスプレイの駆動方法であって、
第１ピクセルデータをタイミングコントローラから第１データドライバへ転送し、
第２ピクセルデータを前記タイミングコントローラから第１データドライバへ転送し、
前記第２ピクセルデータを前記第１データドライバから第２データドライバへ転送し、
前記第３ピクセルデータを前記タイミングコントローラから前記第１データドライバへ転送し、
前記第３ピクセルデータを前記第１データドライバから第３データドライバへ転送することを含むディスプレイの駆動方法。
【請求項２９】
前記第１データドライバから前記第２データドライバへ前記第２ピクセルデータを転送することは、ガラス基板上に配置された信号線を通して前記第１データドライバから前記第２データドライバへ前記第２ピクセルデータを転送することを含む請求項２８に記載のディスプレイの駆動方法。
【請求項３０】
前記第１ピクセルデータはピクセル回路の行の第１部分の彩度値についての情報を有し、
前記第２ピクセルデータはピクセル回路の行の第２部分の彩度値についての情報を有する請求項２８に記載のディスプレイの駆動方法。
【発明の詳細な説明】
【関連出願の相互参照】
【０００１】
参照により内容が援用されるところの本発明は、２００５年６月１５日に出願された台湾出願番号９４１１９８９９からの優先権を請求する。
【技術分野】
【０００２】
本発明はディスプレイ、特にフラットパネルディスプレイとその駆動方法に関する。
【背景技術】
【０００３】
図１にフラットパネルディスプレイ１００の例を示す。フラットパネルディスプレイ１００はディスプレイパネル１１０とプリント配線板１２０を有する。ディスプレイパネル１１０はアクティブ・ディスプレイ・エリア１２４を有する。アクティブ・ディスプレイ・エリア１２４は画像のピクセルを表示するための多くのピクセル回路を有する。各ピクセルは、例えば、赤色サブピクセル、緑色サブピクセル、青色サブピクセルを含む。各ピクセル回路はひとつのサブピクセルに対応する。ピクセル回路はデータドライバ１１２により駆動され、各データドライバ１１２は対応するピクセル回路を駆動する。ピクセル回路はガラス基板１２６上に形成され、データドライバ１１２はアクティブ・ディスプレイ・エリア１２４の外側の、ガラス基板１２６の端近くに取り付けられる。プリント配線板１２０はタイミングコントローラ１２２を含む。タイミングコントローラ１２２はピクセルデータ、コントロール信号、クロック信号をデータドライバ１１２に供給する。
【０００４】
プリント配線板１２０は、ディスプレイ１００の縁の幅を減らすため、ガラス基板１２６の背面に置かれる。タイミングコントローラ１２２は、ガラス基板の縁に沿って折り曲げたフレキシブルプリント回路１３０を通してデータドライバ１１２とつながる。
【発明の開示】
【発明が解決しようとする課題】
【０００５】
本発明のディスプレイの解決しようとする課題は以下のとおりである。
１．データドライバ間の信号転送をノイズの影響を受けないで安定して行なう。
２．データドライバ間の信号転送の周波数を低くしディスプレイ起因の電磁妨害を低減する。
３．データドライバ間の信号線数を削減し、ディスプレイフレーム幅を細くする。
４．信号転送線のインピーダンスを低減する。
【課題を解決するための手段】
【０００６】
ある態様では、一般的に、ディスプレイはピクセル回路を有する配列基板、ピクセル回路を駆動するためのデータドライバを含む。データドライバは第１データドライバを含む。第１データドライバは、ピクセルデータを第１クロック周波数に従って受け取り、ピクセルデータの一部を第２クロック周波数に従って第２データドライバへ転送する。ここで第２クロック周波数は第１クロック周波数と異なる。
【０００７】
本発明のディスプレイは以下の特徴を１つ以上含む。第１データドライバは、交互のクロックサイクル中に交互に、ピクセルデータの異なる部分を第２データドライバと第３データドライバへ送る。第２データドライバは受け取ったピクセルデータを対応するピクセル回路の駆動に使用する。第３データドライバは受け取ったピクセルデータを対応するピクセル回路の駆動に使用する。第２クロック周波数は第１クロック周波数より低い。ディスプレイは、第１データドライバから第２データドライバへピクセルデータを転送するため、ガラス基板上に配置された転送線を含む。第１データドライバはピクセルデータを第２データドライバへ送るためトランジスタ−トランジスタ−論理回路（ＴＴＬ）インターフェースを含む。第１データドライバはピクセルデータを第２データドライバへ送るため差動シグナル伝送インターフェースを含む。第２データドライバは、第１トランジスタ−トランジスタ−論理回路（ＴＴＬ）インターフェースと第２ＴＴＬインターフェースを含む。第１ＴＴＬインターフェースは第１データドライバからピクセルデータの一部を受け取り、第２ＴＴＬインターフェースはピクセルデータの一部を第３データドライバへ転送する。ディスプレイはタイミングコントローラを含む。タイミングコントローラは、パルスを持った第１クロック信号、第１クロック信号の奇数パルスに対応するパルスを持った第２クロック信号、第１クロック信号の偶数パルスに対応するパルスを持った第３クロック信号を出力する。第１データドライバは第２クロック信号に従って、第２データドライバへピクセルデータの一部を送り、第３クロック信号に従って、第３データドライバへピクセルデータの一部を送る。
【０００８】
別の態様では、一般的に、ディスプレイはピクセル回路を有する配列基板、ピクセル回路を駆動するデータドライバを含む。データドライバは第１データドライバを含む。第１データドライバはタイミングコントローラから全ピクセルデータを受け取る。ピクセルデータは第１データドライバ、その他のデータドライバが対応するピクセル回路を駆動するのに使用される。
【０００９】
本発明のディスプレイは以下の特徴を１つ以上含む。第１データドライバは、ピクセルデータを他のデータドライバへ送るため、トランジスタ−トランジスタ−論理回路（ＴＴＬ）インターフェースを含む。第１データドライバはピクセルデータを他のデータドライバへ送るため差動シグナル伝送インターフェースを含む。
【００１０】
別の態様では、一般的に、ディスプレイはピクセル回路を有する配列基板、第１データドライバ、第２データドライバを含む。第１データドライバは、タイミングコントローラからピクセルデータを受け取り、ピクセル回路の第１部分を駆動するのにピクセルデータを使用する。第１データドライバはタイミングコントローラから付加ピクセルデータも受け取るが、ピクセル回路を駆動するのに付加ピクセルデータを使用しない。第２データドライバは第１データドライバから付加ピクセルデータを受け取り、ピクセル回路の第２部分を駆動するのに使用する。
【００１１】
本発明のディスプレイは以下の特徴を１つ以上含む。第１データドライバは、ディスプレイのガラス基板に取り付けられた信号線を通して、第２データドライバへ付加ピクセルデータを送る。第１データドライバは第１クロック周波数に従いタイミングコントローラから付加ピクセルデータを受け取る。第１データドライバは第２クロック周波数に従って第２データドライバへ付加ピクセルデータを送る。第２クロック周波数は第１クロック周波数と異なる。第１データドライバはタイミングコントローラから第１番号の信号線を通して、ピクセル回路の第１部分を駆動するためのピクセルデータを受け取る。第１データドライバはタイミングコントローラから第２番号の信号線を通して、第２データドライバ用の付加ピクセルデータを受け取る。第１番号と第２番号は異なる。第１データドライバは、付加ピクセルデータを第２データドライバへ送るためトランジスタ−トランジスタ−論理回路（ＴＴＬ）インターフェースを含む。第１データドライバは、付加ピクセルデータを第２データドライバへ送るため差動シグナル伝送インターフェースを含む。
【００１２】
別の態様では、一般的に、ディスプレイはピクセル回路を有する配列基板、ピクセル回路を駆動するデータドライバを含む。データドライバは第１データドライバを含む。第１データドライバは、第１番号の信号線を通してピクセルデータを受け取り、第２番号の信号線を通してピクセルデータの一部を第２データドライバへ転送する。第２番号は第１番号と異なる。第２データドライバは受け取ったピクセルデータを対応するピクセル回路の駆動に用いる。
【００１３】
本発明のディスプレイは以下の特徴を１つ以上含む。第１データドライバは、同時に第２データドライバと第３データドライバへピクセルデータの異なる部分を送る。第２番号は第１番号より小である。第２番号の信号線はガラス基板上に配置される。第１データドライバは、ピクセルデータを第２データドライバへ送るためトランジスタ−トランジスタ−論理回路（ＴＴＬ）インターフェースを含む。第２データドライバはピクセルデータを受け取るためＴＴＬインターフェースを含む。
【００１４】
別の態様では、一般的に、ディスプレイは、基板、基板上に配置されたピクセル回路配列、ピクセルデータを出力するタイミングコントローラ、第１クロック信号、第２クロック信号、第３クロック信号を含む。第２、第３クロック信号の周波数は第１クロック信号の周波数の１／２に等しい。ディスプレイは、対応するピクセル回路を駆動する第１データドライバ、対応するピクセル回路を駆動する第２データドライバ、対応するピクセル回路を駆動する第３データドライバを含む。第１期間に、第１データドライバは第１クロック信号に従ってタイミングコントローラからピクセルデータを受け取り、バッファにピクセルデータを格納する。第２期間に、第１データドライバは第１クロック信号に従ってタイミングコントローラからピクセルデータを受け取り、第２クロック信号に従って第２データドライバへピクセルデータの一部を送り、第３クロック信号に従って第３データドライバへピクセルデータの一部を送る。第２、第３データドライバは受け取ったピクセルデータをバッファに格納する。
【００１５】
本発明のディスプレイは以下の特徴を１つ以上含む。ディスプレイは第４データドライバ、第５データドライバを含む。第３期間に、第２、第３データドライバは第１データドライバからピクセルデータを受け取り、受け取ったピクセルデータをそれぞれ第４、第５データドライバへ転送する。第４、第５データドライバは受け取ったピクセルデータをバッファに格納する。第５期間に第１、第２、第３、第４、第５データドライバはそれぞれのバッファに格納したピクセルデータにより対応するピクセル回路を駆動する。
【００１６】
別の態様では、一般的に、ディスプレイの駆動方法は、タイミングコントローラから第１データドライバへ第１クロック周波数でピクセルデータを転送すること、第１データドライバから第２データドライバへ第２クロック周波数でピクセルデータを転送すること、第２データドライバが受け取ったピクセルデータによりピクセル回路を駆動することを含む。第２クロック周波数は第１クロック周波数と異なる。
【００１７】
別の態様では、一般的に、ディスプレイの駆動方法は、タイミングコントローラから第１データドライバへ第１番号の信号線を通してピクセルデータを転送すること、第１データドライバから第２データドライバへ第２番号の信号線を通してピクセルデータを転送すること、第２データドライバの受け取ったピクセルデータにより第２データドライバがピクセル回路を駆動することを含む。第１番号は第２番号と異なる。
【００１８】
別の態様では、一般的に、ピクセル回路を有するディスプレイの駆動方法は、第１ピクセルデータをタイミングコントローラから第１データドライバへ転送すること、第２ピクセルデータをタイミングコントローラから第１データドライバへ転送すること、第２ピクセルデータを第１データドライバから第２データドライバへ転送すること、第１データドライバが第１ピクセルデータによりピクセル回路の第１部分を駆動すること、第２データドライバが第２ピクセルデータによりピクセル回路の第２部分を駆動することを含む。
【００１９】
本発明のディスプレイは以下の特徴を１つ以上含む。第１データドライバから第２データドライバへ第２ピクセルデータを転送することは、ガラス基板上に配置された信号線を通して第１データドライバから第２データドライバへ第２ピクセルデータを転送することを含む。第１ピクセルデータはピクセル回路の行の第１部分の彩度値についての情報を有し、第２ピクセルデータはピクセル回路の行の第２部分の彩度値についての情報を有する。
【００２０】
別の態様では、一般的に、本発明のディスプレイの駆動方法は次のことを含む。ディスプレイのタイミングコントローラからディスプレイのドライバへ一連のピクセルデータを転送すること。この際タイミングコントローラから、全てのデータドライバ数より少ない数のデータドライバへ一連のピクセルデータを送る。全てのデータドライバ数より少ない数のデータドライバから他のデータドライバへ一連のピクセルデータの一部を転送すること。一連のピクセルデータによりデータドライバがピクセル回路を駆動すること。
【００２１】
本発明のディスプレイは以下の特徴を１つ以上含む。一連のピクセルデータはピクセル回路の配列の彩度値についての情報を含む。
【００２２】
本発明の他の利点、特徴は以下の明細書、請求範囲から明らかになる。
【発明の効果】
【００２３】
本発明のディスプレイにより以下の効果が得られる。
１．ＴＴＬ信号がデータドライバ間のクロック、データ、コントロール信号の転送に使用されると、ＴＴＬ信号は他の信号転送法（例：ミニＣＶＤＳ、ウイスパーバス信号）より大振幅でノイズの影響が小さい。ＴＴＬ信号はパワー安定性も優れている。
２．ＴＴＬ信号を送受信するデータドライバは単純構造で、たとえばウイスパーバス信号を通信するデータドライバより省電力である。
３．ＴＴＬ信号のクロック両端を使用すると、従来のクロック片端法と比べ、クロック周波数を低減できる（ノイズを低減できる）。またはデータドライバ間の信号線数を低減できる。従ってディスプレイフレームの幅が低減できディスプレイの端を細くできる。
４．ワイヤ・オン・アレイ転送構造（転送線をガラス基板上に直接配置する構造）において、データドライバがガラス基板にポストパッシベーション技術により配置されると、転送線のインピーダンスが低減できる。
５．タイミングコントローラからデータドライバへピクセルデータを転送する周波数よりデータドライバ間のデータ転送の周波数を低くすると、ディスプレイの高周波信号により引き起こされる電磁妨害が低減される。
【発明を実施するための最良の形態】
【００２４】
この明細書では、タイミングコントローラから指定されたデータドライバにピクセルデータを転送し、次に指定されたデータドライバから他のデータドライバにピクセルデータを転送するフラットパネルディスプレイ（例：液晶ディスプレイ）の実施例を記述する。
【００２５】
図２において、フラットパネルディスプレイ２００（例：液晶ディスプレイ）は、ガラス基板２１０、ピクセルマトリックス２２０、データドライバ２３０、プリント配線板２４０を含む。ピクセルマトリックス２２０は画像を表示するためガラス基板２１０上に配置されたピクセル回路配列を含む。データドライバ２３０は金コンタクトバンプを介してガラス基板２１０に取り付けられる（後述）。データドライバ２３０間の転送線２３２は、ガラス基板２１０上に直接配置されている（ワイヤ・オン・アレイＷＯＡ型転送構造と称する）。データドライバ２３０はピクセル回路を駆動するためピクセルマトリックス２２０にピクセルデータＤｐを出力する。
【００２６】
プリント配線板２４０はガラス基板２１０の背面に置かれている。プリント配線板２４０はタイミングコントローラ２４２を含む。タイミングコントローラ２４２は、フレキシブルプリント回路２５０上の信号線２４４を通してデータドライバ２３０にコントロール信号、クロック信号、ピクセルデータを転送する。フレキシブルプリント回路２５０はガラス基板２１０の縁を回るように折り曲げられており、ガラス基板２１０上の信号線とプリント配線板２４０上の信号線とをつないでいる。
【００２７】
図３に示すように、本発明の一実施例のディスプレイ２８０はタイミングコントローラ２４２、５個のデータドライバ２６０ａ〜２６０ｅを含む。タイミングコントローラ２４２は指定されたデータドライバ、即ち第１データドライバ２６０ａに全ピクセルデータを送る。第１データドライバ２６０ａは、第１データドライバ２６０ａ用のピクセルデータの一部を格納し、その他のピクセルデータを他のデータドライバ２６０ｂ〜２６０ｅに転送する。第２データドライバ２６０ｂは、第２データドライバ２６０ｂ用のピクセルデータの一部を格納し、その他のピクセルデータを第４データドライバ２６０ｄに転送する。第３データドライバ２６０ｃは、第３データドライバ２６０ｃ用のピクセルデータの一部を格納し、その他のピクセルデータを第５データドライバ２６０ｅに転送する。データドライバ２６０ａ〜２６０ｅは各自用のピクセルデータを受け取ると、対応するピクセル回路を同時に駆動する。ある実施例では、データドライバ２６０ａ〜２６０ｅはピクセルの１行全部を同時に駆動する。上記のプロセスはピクセルの他の行を駆動するときに繰り返される。
【００２８】
クロック信号を転送する信号線は図３に示されていない。この実施例では、タイミングコントローラ２４２はクロック信号ＣＬＫ１を発生させる。指定されたデータドライバ（例：第１データドライバ２６０ａ）はクロック信号ＣＬＫ１に従いタイミングコントローラ２４２からピクセルデータＤ１を受け取る。（第１データドライバ２６０ａへのピクセルデータ転送が第１クロック信号ＣＬＫ１と同期して行なわれる。）ピクセルデータＤ１は第１データドライバ２６０ａ用である。
【００２９】
第１データドライバ２６０ａは図示しないクロックディバイダを含む。クロックディバイダはクロック信号ＣＬＫ１を分割して第２クロック信号ＣＬＫ２、第３クロック信号ＣＬＫ３を発生させる。第２クロック信号ＣＬＫ２、第３クロック信号ＣＬＫ３の周波数は第１クロック信号ＣＬＫ１の１／２である。第１データドライバ２６０ａは第１クロック信号ＣＬＫ１に従い、データドライバ２６０ｂ用のピクセルデータＤ２、データドライバ２６０ｃ用のピクセルデータＤ３を受け取り、第２クロック信号ＣＬＫ２に従いピクセルデータＤ２をデータドライバ２６０ｂに、第３クロック信号ＣＬＫ３に従いピクセルデータＤ３をデータドライバ２６０ｃに転送する。
【００３０】
この実施例では、ピクセルデータはピクセルの赤色、緑色、青色に対し各６ビットデータとする。そのため各ピクセルの総ビット数は１８ビットである。ピクセルデータを転送するため９本の信号線が使用される。（赤、緑、青各ピクセルデータについて３本ずつ。）１８ビットのピクセルデータはタイミングコントローラ２４２から指定されたデータドライバ２６０ａに２クロックサイクルで送られる。（１クロックサイクルで９ビット。）
【００３１】
各データドライバ２６０ａ〜２６０ｅは所定数のチャネルを持ち、各チャネルは１ピクセル回路を駆動する。（各ピクセル回路は１サブピクセルに対応する。）この実施例において各データドライバ２６０ａ〜２６０ｅは３８４チャネルを駆動できる。各ピクセルデータは６ビットなので、３８４個のピクセル回路を駆動するデータドライバに必要なピクセルデータの完全な転送には、３８４×６／９＝２５６クロックサイクルが使われる。
【００３２】
図４は、ピクセルデータをデータドライバ２６０ａ、２６０ｂ、２６０ｃに転送する様子を示すタイミング図である。タイミング図１３２に示すように、Ｔ１（最初の２５６クロックサイクル）の間に、クロック信号ＣＬＫ１に従い第１データドライバ２６０ａ用のピクセルデータＤ１をデータドライバ２６０ａに送る。Ｔ２（次の５１２クロックサイクル）の間に、クロック信号ＣＬＫ１に従い、データドライバ２６０ｂ用のピクセルデータＤ２、データドライバ２６０ｃ用のピクセルデータＤ３を第１データドライバ２６０ａに転送する。同時にＴ２の間に、第１データドライバ２６０ａは、第２クロック信号ＣＬＫ２に従い第２データドライバ２６０ｂにピクセルデータＤ２を、第３クロック信号ＣＬＫ３に従い第３データドライバ２６０ｃにピクセルデータＤ３を転送する。
【００３３】
第１データドライバ２６０ａが、第２データドライバ２６０ｂ用のピクセルデータＤ２（または第３データドライバ２６０ｃ用のピクセルデータＤ３）を受け取る時刻と、第２データドライバ２６０ｂ用のピクセルデータＤ２（または第３データドライバ２６０ｃ用のピクセルデータＤ３）を出力する時刻との間には図示しない遅れがある。その遅れは１クロックサイクルになる。
【００３４】
図示しないが、次の５１２クロックサイクルの間に、第１クロック信号ＣＬＫ１に従い第１データドライバ２６０ａにデータドライバ２６０ｄ用のピクセルデータＤ４、データドライバ２６０ｅ用のピクセルデータＤ５が転送される。第１データドライバ２６０ａは第２クロック信号ＣＬＫ２に従い第２データドライバ２６０ｂにピクセルデータＤ４を、また第３クロック信号ＣＬＫ３に従い第３データドライバ２６０ｃにピクセルデータＤ５を転送する。第２データドライバ２６０ｂは第２クロック信号ＣＬＫ２に従い第４データドライバ２６０ｄにピクセルデータＤ４を転送する。第３データドライバ２６０ｃは第３クロック信号ＣＬＫ３に従い第５データドライバ２６０ｅにピクセルデータＤ５を転送する。
【００３５】
第２データドライバ２６０ｂが第４データドライバ２６０ｄ用のピクセルデータＤ４（または第３データドライバ２６０ｃが第５データドライバ２６０ｅ用のピクセルデータＤ５）を受け取る時刻と、第２データドライバ２６０ｂが第４データドライバ２６０ｄ用のピクセルデータＤ４（または第３データドライバ２６０ｃが第５データドライバ２６０ｅ用のピクセルデータＤ５）を出力する時刻との間に、図示しない遅れがある。その遅れは１クロックサイクルになる。
【００３６】
第２クロック信号ＣＬＫ２と第３クロック信号ＣＬＫ３は、第１クロック信号の交互のパルスと一致する。従って第１データドライバ２６０ａは、第２データドライバ２６０ｂと第３データドライバ２６０ｃへ交互にピクセルデータを転送する。第２クロック信号ＣＬＫ２と第３クロック信号ＣＬＫ３の周波数は第１クロック信号ＣＬＫ１の１／２である。従ってデータドライバ間のピクセルデータ転送は、タイミングコントローラ２４２から指定データドライバ２６０ａへのデータ転送の１／２の周波数で行なわれる。
【００３７】
データドライバ間のデータ転送のクロック速度を下げる利点は、ディスプレイの高周波信号により引き起こされる電磁妨害が低減されることである。
【００３８】
図５に、タイミングコントローラ２４２と５個のデータドライバ２６２ａ〜２６２ｅを含む実施例を示す。図３のディスプレイ２８０同様、ディスプレイ２８２のタイミングコントローラ２４２は指定データドライバ（第１データドライバ２６２ａ）に全ピクセルデータを転送する。第１データドライバ２６２ａは、第１データドライバ２６２ａ用のピクセルデータＤ１を格納し、その他のピクセルデータ（Ｄ２〜Ｄ５）を他のデータドライバ２６２ｂ〜２６２ｅに転送する。図３のディスプレイ２８０と異なり、ディスプレイ２８２はタイミングコントローラ２４２から第１データドライバ２６２ａに１０本の信号線を、データドライバ間（例：２６２ａ〜２６２ｂ、２６２ｃ）に５本の信号線を使用する。
【００３９】
第１データドライバ２６２ａは左入力２６４、右入力２６６を持つ。タイミングコントローラ２４２は１クロックサイクル毎に、左入力２６４に５ビットデータを、右入力２６６に５ビットデータを転送する。
【００４０】
クロック信号の信号線は図５に示されていない。この実施例においてタイミングコントローラ２４２はクロック信号ＣＬＫ１を発生させる。第１データドライバ２６２ａは第１クロック信号ＣＬＫ１に従いタイミングコントローラ２４２からピクセルデータを受け取る。第１データドライバ２６２ａはクロック信号ＣＬＫ１に従いデータドライバ２６２ｂ、２６２ｃにピクセルデータを転送する。
【００４１】
この実施例では、ディスプレイ２８２の各データドライバ２６２ａ〜２６２ｅは３８４チャネルを駆動できるとする。
【００４２】
図６はピクセルデータがデータドライバ２６２ａ、２６２ｂ、２６２ｃに転送される様子を示すタイミング図である。タイミング図１３８に示すように、Ｔ１（最初の２５６クロックサイクル）中にクロック信号ＣＬＫ１に従いデータドライバ２６２ａに第１データドライバ２６２ａ用のピクセルデータＤ１が転送される。１０本の信号線を通して３８４×６ビットのピクセルデータが転送されるので、第１データドライバ２６０ａへの３８４×６ビットのピクセルデータ転送に実際は２３１クロックサイクルが使用されるにすぎない。
【００４３】
Ｔ２（次の５１２クロックサイクル）中に、クロック信号ＣＬＫ１に従いデータドライバ２６２ａに、データドライバ２６２ｂ、２６２ｃ用のピクセルデータＤ２、Ｄ３が転送される。第１データドライバ２６２ａはピクセルデータＤ２を左入力２６４に受け取り、左出力２６８を通して第２データドライバ２６２ｂにピクセルデータＤ２を出力する。これらはクロック信号ＣＬＫ１に従う。第１データドライバ２６２ａはピクセルデータＤ３を右入力２６６で受け取り、右出力２７０を通して第３データドライバ２６０ｃに出力する。これらはクロック信号ＣＬＫ１に従う。５本の信号線がピクセルデータＤ２、Ｄ３を転送するのに使用されるので、ピクセルデータＤ２、Ｄ３を第１データドライバ２６２ａから第２、第３データドライバ２６２ｂ、２６２ｃに転送するのにわずか４６１クロックサイクルが使用されるにすぎない。
【００４４】
第１データドライバ２６２ａがピクセルデータＤ２（またはＤ３）を受け取る時刻と、第１データドライバ２６２ａがピクセルデータＤ２（またはＤ３）を第２データドライバ２６２ｂ（または第３データドライバ２６２ｃ）に出力する時刻との間には１クロックサイクルの遅れがある。
【００４５】
図示しないが、次の５１２クロックサイクルの間に、クロック信号ＣＬＫ１に従い、データドライバ２６２ｄ、２６２ｅ用のピクセルデータＤ４、Ｄ５が左右入力２６４、２６６を通して第１データドライバ２６２ａへ転送される。第１データドライバ２６２ａは左出力２６８を通して第２データドライバ２６２ｂにピクセルデータＤ４を転送する。第２データドライバ２６２ｂは第４データドライバ２６２ｄにピクセルデータＤ４を転送する。以上はすべてクロック信号ＣＬＫ１に従う。同時に第１データドライバ２６２ａは右出力２７０を通して第３データドライバ２６２ｃにピクセルデータＤ５を、第３データドライバ２６２ｃは第５データドライバ２６２ｅにピクセルデータＤ５を転送する。以上はすべてクロック信号ＣＬＫ１に従う。
【００４６】
ディスプレイ２８２（図５）は５本の信号線を使用するため（一方ディスプレイ２８０はデータドライバ間に９本のデータ信号線を使用）、ガラス基板上のアクティブ・ディスプレイ・エリア外のデータ信号線割り当て必要領域が小さくて済む。そのためディスプレイ２８２の縁の幅を細くできる。なおクロック、コントロール信号線は図３、図５に示されていない。
【００４７】
いくつかの実施例では、タイミングコントローラ２４２からデータドライバへ転送される信号はトランジスタ−トランジスタ−論理回路（ＴＴＬ）信号である。ＴＴＬ信号の振幅は約３．３Ｖである。３．３×０．７＝２．３１Ｖより高圧のＴＴＬ信号はハイレベル信号、３．３×０．３＝０．９９Ｖより低圧の信号はローレベル信号とされる。このためローレベル信号は０Ｖ〜０．９９Ｖ、ハイレベル信号は２．３１Ｖ〜３．３Ｖである。
【００４８】
転送線２３２（図２）はガラス基板（例：２１０）に直接取り付けられており、フレキシブルプリント回路（例：２５０）の信号線と比べてインピーダンスが高い。転送線２３２を通る信号は急速に減衰するため、転送線２３２のある距離を通過した信号の質はフレキシブルプリント回路２５０を通る信号に比較して悪くなりやすい。
【００４９】
ＴＴＬ信号は耐性が高いので、データドライバ間のデータ、コントロール信号の転送にＴＴＬ信号を用いると、ＴＴＬ信号の信号レベルを決めるのが容易である利点がある。
【００５０】
図７にタイミングコントローラ２４２、３個のデータドライバ２３０ａ〜２３０ｃ、それらの間を通る信号の実施例を示す。タイミングコントローラ２４２はＴＴＬ信号（例：データ信号２８４）を出力するためのＴＴＬインターフェイス２４６、ＴＴＬ転送線２４４を通る１つ以上のクロック信号２８６、１つ以上のコントロール信号２８８を含む。第１データドライバ２３０ａはＴＴＬ受信機２３４ａ、２つのＴＴＬ送信機２３６ａを含む。第２データドライバ２３０ｂはＴＴＬ受信機２３４ｂ、ＴＴＬ送信機２３６ｂを含む。第３データドライバ２３０ｃはＴＴＬ受信機２３４ｃ、ＴＴＬ送信機２３６ｃを含む。第１データドライバ２３０ａは２個のＴＴＬ送信機２３６ａを持ち、これは隣のデータドライバ２３０ｂ、２３０ｃのＴＴＬ受信機２３４ｂにＴＴＬ信号（データ、クロック信号、コントロール信号）を出力する。第２データドライバ２３０ｂはＴＴＬ送信機２３６ｂを持ち、これは隣のデータドライバ２３０ｄにＴＴＬ信号（データ、クロック、コントロール信号）を転送する。第３データドライバ２３０ｃはＴＴＬ送信機２３６ｃを持ち、これは隣のデータドライバ２３０ｅにＴＴＬ信号を転送する。その他も同様である。
【００５１】
データドライバは各自用のピクセルデータＤｐを受け取ったあと、ピクセル回路を駆動するためピクセルデータＤｐを出力する。
【００５２】
図８で、データドライバ２３０ｃはＴＴＬ受信機２３４ｃ、ＴＴＬ送信機２３６ｃ、ラインバッファ４００、レベル・シフタ４０２、デジタル／アナログコンバータ（ＤＡＣ）４０４、バッファ４０６、出力マルチプレクサ４０８を含む。ラインバッファ４００はＴＴＬ受信機２３４ｃ、ＴＴＬ送信機２３６ｃと結合している。ラインバッファ４００はＴＴＬ受信機２３４ｃからのピクセルデータを格納でき、また受け取ったピクセルデータ、クロック信号、コントロール信号を次のデータドライバ（図示なし）にＴＴＬ送信機２３６ｃを通して転送することができる。
【００５３】
ラインバッファ４００は格納されたピクセルデータをレベル・シフタ４０２に転送し、クロック信号、コントロール信号に従いレベルシフトする。ピクセルデータはＤＡＣ４０４によりアナログ信号に変換され、一時的にバッファ４０６に格納され、出力マルチプレクサ４０８を通してピクセルデータＤｐとして出力される。バッファ４０６は高い駆動パワーを持つためピクセルデータＤｐを転送するデータ線を駆動できる。
【００５４】
データドライバ２３０ａの構造はデータドライバ２３０ｃと類似しているが、データドライバ２３０ａが２個のＴＴＬ送信機２３６ａを持つところとは異なる。
【００５５】
図９に示すように、ＴＴＬ信号の送受信はクロック片端でトリガされるので、データはクロックサイクルの例えば各上昇端で保持される。ＴＴＬ信号の送受信はクロック両端でトリガするようにもでき、そのときデータはクロックサイクルの上昇端、下降端で保持される。送受信トリガにクロックの上昇端、下降端を使えば、上昇端だけの場合よりデータ転送速度が２倍になる。従ってクロック周波数がそのままでも、上昇端、下降端を送受信のトリガに使えば、ガラス基板２１０上に配置する転送線数は低減できる。ガラス基板上のアクティブ・ディスプレイ・エリア外の転送線割り当て必要領域がより小さくできるので、ディスプレイ２００の外フレームを細くできる。
【００５６】
図１０はデータドライバ２３０、転送線２３２の断面図である。これらはガラス基板２１０上にパッシベーション後のプロセスで配置される。アルミニウムパッド６０２はデータドライバ２３０下に配置され、データドライバ２３０の信号線に接続される。アルミニウムパッド６０２はパッシベーション層６０４により互いに絶縁される。金導電層６０６はアルミニウムパッド６０２とパッシベーション層の下に配置され、アルミニウムパッド６０２と金コンタクトバンプ６０８を接続する。金コンタクトバンプ６０８は隣のデータドライバにつながる転送線に結合する。上述の構造を使うことにより、あるデータドライバが他のデータドライバにピクセルデータを送るとき、ピクセルデータを転送する信号線のインピーダンスが低減する。
【００５７】
上述のフラットパネルディスプレイの実施例は下記のような多数の利点を持つ。
【００５８】
１．ＴＴＬ信号がデータドライバ間のクロック、データ、コントロール信号の転送に使用されると、ＴＴＬ信号は他の信号転送法（例：ミニＣＶＤＳ、ウイスパーバス信号）より大振幅でノイズの影響が小さい。ＴＴＬ信号はパワー安定性も優れている。
【００５９】
２．ＴＴＬ信号を送受信するデータドライバは単純構造で、たとえばウイスパーバス信号を通信するデータドライバより省電力である。
【００６０】
３．ＴＴＬ信号のクロック両端を使用すると（図９）、従来のクロック片端方法と比べ、クロック周波数を低減できる（ノイズを低減できる）。またはデータドライバ間の信号線数を低減できる。従ってディスプレイフレームの幅が低減でき、ディスプレイの端を細くできる。
【００６１】
４．ワイヤ・オン・アレイ転送構造（即ち転送線をガラス基板上に直接配置する構造）において、データドライバがガラス基板に上述のパッシベーション後の技術により配置されると、転送線のインピーダンスが低減できる。
【００６２】
図１１はタイミングコントローラ２４２、１０個のデータドライバ３００ａ〜３００ｅ、３０２ａ〜３０２ｅを持つフラットパネルディスプレイ３１０の実施例の概略図である。タイミングコントローラ２４２はフレキシブルプリント回路３０６を通してデータドライバ３００ｃにデータ、コントロール信号、クロック信号を送る。データドライバ３００ｃはガラス基板２１０上に配置されたワイヤ・オン・アレイ構造の転送線を通してデータ、コントロール信号、クロック信号をデータドライバ３００ａ、３００ｂ、３００ｄ、３００ｅに送る。タイミングコントローラ２４２はデータドライバ３０２ｃにフレキシブルプリント回路３０８を通してデータ、コントロール信号、クロック信号を送る。データドライバ３０２ｃはガラス基板２１０上に配置されたワイヤ・オン・アレイ構造の転送線を通してデータドライバ３０２ａ、３０２ｂ、３０２ｄ、３０２ｅにデータ、コントロール信号、クロック信号を送る。
【００６３】
この実施例のディスプレイ３１０は、１７インチＳＸＧＡディスプレイで、解像度は１２８０×１０２４、フレームリフレッシュレートが６０Ｈｚである。ＶＥＳＡ規格によると、空白線も勘定に入れるときＳＸＧＡディスプレイは１６８８×１０６６の解像度である。ディスプレイ３１０のクロック信号周波数は、６０×１６８８×１０６６／２＝５４ＭＨｚで、これはタイミングコントローラ２４２から第３データドライバ３００ｃ、第８データドライバ３０２ｃにピクセルデータを送るのに使う。第３データドライバ３００ｃはピクセルデータを第２、第４データドライバ３００ｂ、３００ｄに送る。そのときのクロック信号周波数は５４／２＝２７ＭＨｚである。同様に第８データドライバ３０２ｃはピクセルデータを第７、第９データドライバ３０２ｂ、３０２ｄに送る。そのときのクロック信号周波数は５４／２＝２７ＭＨｚである。
【００６４】
各データドライバが３８４チャネル持つとすると、１２８０×３ピクセルを駆動するのに必要なデータドライバは１２８０×３／３８４＝１０個である。各行のピクセルデータをデータドライバに転送するのに必要な時間は６×３８４×２．５／１８＋２＝３２２クロックサイクルである。
【００６５】
タイミングコントローラ２４２、データドライバ３００ｃ、３０２ｃを持つディスプレイ３１０は２形態ある。第１形態は図１２、図１３にディスプレイ３１０ａとして示されている。タイミングコントローラ２４２は第１クロック周波数でデータドライバ３００ｃ（または３０２ｃ）にピクセルデータＤ１〜Ｄ５を送り、データドライバ３００ｃ（または３０２ｃ）は第２クロック周波数でデータドライバ３００ｂ、３００ｄ（または３０２ｂ、３０２ｄ）にピクセルデータＤ１、Ｄ２、Ｄ４、Ｄ５を転送する。第２クロック周波数は第１クロック周波数より周波数が低い。第２形態は図１４、図１５にディスプレイ３１０ｂとして示されている。タイミングコントローラ２４２はデータドライバ３００ｃ（または３０２ｃ）に３６本の信号線を通してピクセルデータＤ１〜Ｄ５を送り、データドライバ３００ｃ（または３０２ｃ）はデータドライバ３００ｂ、３００ｄ（または３０２ｂ、３０２ｄ）に１８本の信号線を通してピクセルデータＤ１、Ｄ２、Ｄ４、Ｄ５を送る。
【００６６】
図１２に示すようにディスプレイ３１０ａはフレキシブルプリント回路３０６を持つ。フレキシブルプリント回路３０６はパワー信号線３１２（例：Ｖｃｃ、Ｖａａ、グランド電圧信号）、クロック信号線３１４（例：クロック信号ＣＬＫＤＤ１〜ＣＬＫＤＤ５）、コントロール信号線３１６（例：ＴＰ１、ＳＴＨ、ＰＯＬコントロール信号）、データドライバ３００ａ〜３００ｃで使用されるピクセルデータを送る１８本のデータ線を含む。
【００６７】
電圧信号Ｖｃｃは約３．３Ｖで、データドライバ、スキャンドライバへ論理回路の高レベルの基準電圧を供給する。スキャンドライバはピクセル回路のスキャン線（ゲート線とも言われる）を駆動するのに使用される。電圧信号Ｖａａは約１０Ｖで、ガラス基板上の薄膜トランジスタにアナログの高レベルレの基準電圧を与える。グランド電圧信号はデータドライバ、スキャンドライバに論理回路のグランド基準電圧を与える。
【００６８】
コントロール信号ＳＴＨは行ピクセルデータの転送開始を示す。コントロール信号ＴＰ１はデータドライバにトリガを与える。トリガによりデータドライバは受け取ったピクセルデータを対応するピクセル回路の駆動に使用する。コントロール信号ＰＯＬは極性反転に使用される。極性を反転させる理由は、Ｖｃｏｍ信号を基準としたとき、隣り合うフレーム間のピクセルのデータ信号は逆極性でなければならないからである。これは液晶分子が特定の方位に固着することを防止するためである。例えばもしＶｃｏｍ信号が４Ｖ、データ信号が５Ｖならば「正極性」、データ信号が３Ｖなら「負極性」と呼ばれる。
【００６９】
図１３は、ピクセルデータがデータドライバ３００ａ〜３００ｅに転送される様子を示すタイミング図である。ＳＴＨコントロール信号線上のパルス３４０はデータ転送の開始を示す。タイミング図３３０によると、Ｔ１（最初の１２８クロックサイクル）中に、第３データドライバ３００ｃ用のピクセルデータＤ３が、１８本のデータ信号線を通り、クロック信号ＣＬＫＤＤ３に従い、データドライバ３００ｃに送られる。１８本の信号線を通して３８４×６ビットのピクセルデータが転送されるので、１２８クロックサイクルが第３データドライバ３００ｃ用のピクセルデータＤ３の転送に使われる。
【００７０】
Ｔ２（次の２５６クロックサイクル）中にクロック信号ＣＬＫＤＤ３に従い、データドライバ３００ｂ、３００ｄ用のピクセルデータＤ２、Ｄ４が第３データドライバ３００ｃに送られる。第３データドライバ３００ｃはクロック信号ＣＬＫＤＤ２に従い、左出力を通して第２データドライバ３００ｂにピクセルデータＤ２を出力する。クロック信号ＣＬＫＤＤ２の周波数はクロック信号ＣＬＫＤＤ３の半分である。第３データドライバ３００ｃはクロック信号ＣＬＫＤＤ４に従い右出力を通して第４データドライバ３００ｄにピクセルデータＤ４を出力する。クロック信号ＣＬＫＤＤ４の周波数もクロック信号ＣＬＫＤＤ３の半分である。
【００７１】
第３データドライバ３００ｃがピクセルデータＤ２、Ｄ４を受け取る時刻と、第２、第４データドライバ３００ｂ、３００ｄがそれぞれピクセルデータＤ２、Ｄ４を受け取る時刻との間には１クロックサイクルの遅れがある。第３データドライバ３００ｃがピクセルデータＤ１、Ｄ５を受け取る時刻と、第１、第５データドライバ３００ａ、３００ｅがそれぞれピクセルデータＤ１、Ｄ５を受け取る時刻との間には２クロックサイクルの遅れがある。
【００７２】
Ｔ３（次の２５６クロックサイクル）中にクロック信号ＣＬＫＤＤ３に従い、データドライバ３００ａ、３００ｅ用のピクセルデータＤ１、Ｄ５が第３データドライバ３００ｃに送られる。第３データドライバ３００ｃはクロック信号ＣＬＫＤＤ１に従い、第２データドライバ３００ｂにピクセルデータＤ１を送る。第２データドライバ３００ｂはクロック信号ＣＬＫＤＤ１に従い、第１データドライバにピクセルデータＤ１を送る。第３データドライバ３００ｃは第５クロック信号ＣＬＫＤＤ５に従い、第４データドライバ３００ｄにピクセルデータＤ５を送る。第４データドライバ３００ｄは第５クロック信号ＣＬＫＤＤ５に従い、第５データドライバ３００ｅにピクセルデータＤ５を送る。クロック信号ＣＬＫＤＤ４、クロック信号ＣＬＫＤＤ５の周波数はクロック信号ＣＬＫＤＤ３の半分である。
【００７３】
ＴＰ１コントロール信号上のパルス３４２のトリガにより、データドライバＤ１〜Ｄ５は受け取ったピクセルデータを使用して対応するピクセル回路を駆動する。
【００７４】
タイミングコントローラ２４２はピクセルデータＤ６、Ｄ７、Ｄ８、Ｄ９、Ｄ１０をデータドライバ３０２ａ、３０２ｂ、３０２ｃ、３０２ｄ、３０２ｅに転送する。これはタイミングコントローラ２４２がピクセルデータＤ１〜Ｄ５をデータドライバ３００ａ〜３００ｅに転送するのと同様である。
【００７５】
図１４に示すように、ディスプレイ３１０ｂは２セットの信号線３０６ａ、３０６ｂを含むフレキシブルプリント回路３０６を持つ。各信号線はパワー信号線３１２、クロック信号線３１４、コントロール信号線３１６、データ線３１８を含む。信号線の第１セット３０６ａはピクセルデータＤ１、Ｄ２およびＤ３の半分をデータドライバ３００ｃの左入力に転送するのに使用される。そこではピクセルデータＤ１、Ｄ２がデータドライバ３００ａ、３００ｂに転送される。信号線の第２セット３０６ｂはピクセルデータＤ４、Ｄ５およびＤ３の残り半分をデータドライバ３００ｃの右入力に転送するのに使用される。そこではピクセルデータＤ４、Ｄ５がデータドライバ３００ｄ、３００ｅに転送される。
【００７６】
信号線の第１セット３０６ａのパワー信号線３１２、コントロール信号線３１６を通して転送される信号の様子は図１２と同様である。ディスプレイ３１０ｂはディスプレイ３１０ａ（図１２）とは異なったクロック信号を用いる。ディスプレイ３１０ｂではタイミングコントローラ２４２がクロック信号ＣＬＫに従って第３データドライバ３００ｃにピクセルデータＤ１〜Ｄ５を送る。同じクロック信号ＣＬＫはデータドライバ間のピクセルデータ転送の同期をとるのに使用される。
【００７７】
図１５はピクセルデータがディスプレイ３１０ｂ内でデータドライバ３００ａ〜３００ｅに転送される様子を示すタイミング図である。ＳＴＨコントロール信号線上のパルス３４０はデータ転送開始を示す。タイミング図３５０によれば、Ｔ１（最初の６４クロックサイクル）中にクロック信号ＣＬＫに従って第３データドライバ３００ｃ用のピクセルデータＤ３が３６本のデータ信号線を通してデータドライバ３００ｃの左右入力へ送られる。３６本の信号線を通して３８４×６ビットのピクセルデータが送られるため、第３データドライバ３００ｃ用のピクセルデータＤ３を転送するのに６４クロックサイクルが使用される。
【００７８】
Ｔ２（次の１２８クロックサイクル）中にデータドライバ３００ｂ、３００ｄ用ピクセルデータＤ２、Ｄ４がクロック信号ＣＬＫに従って第３データドライバ３００ｃに送られる。第３データドライバ３００ｃはピクセルデータＤ２、Ｄ４をクロック信号ＣＬＫに従って左右出力を通してそれぞれ第２、第４データドライバ３００ｂ、３００ｄに出力する。
【００７９】
Ｔ３（次の１２８クロックサイクル）中にデータドライバ３００ａ、３００ｃ用のピクセルデータＤ１、Ｄ５がクロック信号ＣＬＫに従って第３データドライバ３００ｃに送られる。第３データドライバ３００ｃはピクセルデータＤ１をクロック信号ＣＬＫに従って第２データドライバ３００ｂに送る。第２データドライバ３００ｂはクロック信号ＣＬＫに従ってピクセルデータＤ１を第１データドライバ３００ａに転送する。第３データドライバ３００ｃはクロック信号ＣＬＫに従ってピクセルデータＤ５を第４データドライバ３００ｄに転送する。第４データドライバ３００ｄはクロック信号ＣＬＫに従ってピクセルデータＤ５を第５データドライバ３００ｅに転送する。
【００８０】
ＴＰＩコントロール信号上のパルス３４２のトリガにより、データドライバＤ１〜Ｄ５は受け取ったピクセルデータを使用して対応するピクセル回路を駆動する。
【００８１】
タイミングコントローラ２４２はピクセルデータＤ６、Ｄ７、Ｄ８、Ｄ９、Ｄ１０をデータドライバ３０２ａ、３０２ｂ、３０２ｃ、３０２ｄ、３０２ｅに転送する。これはタイミングコントローラ２４２がピクセルデータＤ１〜Ｄ５をデータドライバ３００ａ〜３００ｅに転送するのと同様である。
【００８２】
第３データドライバ３００ｃがピクセルデータＤ２、Ｄ４を受け取る時刻と、第２、第４データドライバ３００ｂ、３００ｄがピクセルデータＤ２、Ｄ４をそれぞれ受け取る時刻との間には１クロックサイクルの遅れがある。第３データドライバ３００ｃがピクセルデータＤ１、Ｄ５を受け取る時刻と、第１、第５データドライバ３００ａ、３００ｅがピクセルデータＤ１、Ｄ５をそれぞれ受け取る時刻との間には２クロックサイクルの遅れがある。
【００８３】
図１６にディスプレイ３１０ｂ（図１４）のデータドライバ３００ｃのブロック図を示す。データドライバ３００ｃは左ＴＴＬ受信機３６０ａ、右ＴＴＬ受信機３６０ｂを含み、データ、コントロール信号、クロック信号をタイミングコントローラ２４２から受け取る。トランシーバ３６２ａ、３６２ｂはそれぞれ隣のデータドライバ３００ｂ、３００ｄと通信するのに使用される。データドライバ３００ｃはラインバッファ４００、レベル・シフタ４０２、デジタル／アナログコンバータ（ＤＡＣ）４０４、バッファ４０６、出力マルチプレクサ４０８を含む。これらは図８の対応部分と同様に作動する。
【００８４】
バススイッチ３６４はタイミングコントローラ２４２から受け取ったピクセルデータを近くのデータドライバ（３００ｂ、３００ｄ）に、またはラインバッファ４００に用るのに使用される。ピクセルデータはタイミングコントローラ２４２からデータドライバ３００ｃにシリアルビットとして送られる。バススイッチ３６４がピクセルデータをラインバッファ４００に用たとき、シフトレジスタ３６６はシリアルピクセルデータをタイミングコントローラから受け取り、ピクセルデータをラインバッファ４００に出力する。ラインバッファ４００は１ライン分のピクセルデータをレベル・シフタ４０２にパラレルに出力する。
【００８５】
図１７に示すように、ディスプレイ３１０の第３形態（ディスプレイ３１０ｃ）においては、フレキシブルプリント回路３０６は信号線２セット３０６ａ、３０６ｂを含み、それぞれがパワー信号線３１２、クロック信号線３１４、コントロール信号線３１６、データ線３１８を含む。信号線３０６ａ、３０６ｂは各々９本の信号線を含む。信号線の第１セット３０６ａはピクセルデータＤ１、Ｄ２およびＤ３の半分をデータドライバ３００ｃの左入力へ転送するのに使用される。データドライバ３００ｃでは、ピクセルデータＤ１、Ｄ２がそれぞれデータドライバ３００ａ、３００ｂに転送される。信号線の第２セット３０６ｂはピクセルデータＤ４、Ｄ５およびＤ３の残り半分をデータドライバ３００ｃの右入力へ転送するのに使用される。データドライバ３００ｃでは、ピクセルデータＤ４、Ｄ５がそれぞれデータドライバ３００ｄ、３００ｅに転送される。
【００８６】
信号線の第１セット３０６ａ内のパワー信号線３１２、コントロール信号線３１６を通しての信号転送は図１４と同様である。ディスプレイ３１０ｂはディスプレイ３１０ａ（図１４）とは異なるクロック信号を用いる。ディスプレイ３１０ｃでは、タイミングコントローラ２４２はクロック信号ＣＬＫに従い第３データドライバ３００ｃにピクセルデータＤ１〜Ｄ５を送る。タイミングコントローラ２４２から第３データドライバ３００ｃへのＴＴＬ信号の送受信はクロック両端でトリガされるので、データはクロックサイクルの上昇端と下降端の両方で保持される。一方データドライバから他のデータドライバへのＴＴＬ信号の送受信はクロック信号の片端でトリガされる。この実施例では、１８本の信号線がピクセルデータをデータドライバから他のデータドライバへ転送するのに使用される。一方９本の信号線がタイミングコントローラ２４２から第３データドライバ３００ｃへのピクセルデータ転送に使用される。
【００８７】
タイミングコントローラ２４２からデータドライバへのピクセルデータ転送にクロック両端を使用する利点は次のとおりである。第３データドライバ３００ｃ、タイミングコントローラ２４２のコストが削減できる。理由は図１４と比較してピン数が少ないからである。またフレキシブルプリント回路のコストが削減できる。理由は図１４と比較して信号線が少ないからである。
【００８８】
いくつかの実施例を上述したが、他の実施例や応用も本願請求項の範囲内である。例えばフラットパネルディスプレイには有機発光ダイオード（ＯＬＥＤ）ディスプレイ、プラズマディスプレイ、電界放射ディスプレイなどの外フレームが薄型のディスプレイもある。データドライバ間に転送される信号はＴＴＬ信号に限らない。低圧差動シグナル伝達ＬＶＤＳのような差動シグナル伝達も使用できる。ディスプレイのピクセル数、データドライバ数、各データドライバのチャネル数、クロック周波数などのパラメータは全て調整可能である。
【産業上の利用可能性】
【００８９】
本発明のディスプレイおよびその駆動方法により次の特徴をもつディスプレイが得られる。
１．データドライバ間の信号転送をノイズの影響を受けないで安定して行なう。
２．データドライバ間の信号転送の周波数を低くしディスプレイ起因の電磁妨害を低減する。
３．データドライバ間の信号線数を削減し、ディスプレイフレーム幅を細くする。
４．信号転送線のインピーダンスを低減する。
【図面の簡単な説明】
【００９０】
【図１】フラットパネルディスプレイの概略図
【図２】フラットパネルディスプレイの概略図
【図３】タイミングコントローラ、データドライバのブロック図
【図４】タイミング図
【図５】タイミングコントローラ、データドライバのブロック図
【図６】タイミング図
【図７】タイミングコントローラ、データドライバの図
【図８】データドライバのブロック図
【図９】タイミング図
【図１０】基板上に配置されたデータドライバ、転送線の断面図
【図１１】ディスプレイの概略図
【図１２】タイミングコントローラ、データドライバの図
【図１３】タイミング図
【図１４】タイミングコントローラ、データドライバの図
【図１５】タイミング図
【図１６】データドライバのブロック図
【図１７】タイミングコントローラ、データドライバの図
【符号の説明】
【００９１】
１００  フラットパネルディスプレイ
１１０  ディスプレイパネル
１１２  データドライバ
１２０  プリント配線板
１２２  タイミングコントローラ
１２４  アクティブ・ディスプレイ・エリア
１２６  ガラス基板
１３０  フレキシブルプリント回路
１３２  タイミング図
１３８  タイミング図
２００  フラットパネルディスプレイ
２１０  ガラス基板
２２０  ピクセルマトリックス
２３０ａ〜２３０ｃ  データドライバ
２３２  転送線
２３４ａ〜２３４ｃ  ＴＴＬ受信機
２３６ａ〜２３６ｃ  ＴＴＬ送信機
２４０  プリント配線板
２４２  タイミングコントローラ
２４４  信号線
２４６  ＴＴＬインターフェース
２５０  フレキシブルプリント回路
２６０ａ〜２６０ｅ  データドライバ
２６２ａ〜２６２ｅ  データドライバ
２６４  左入力
２６６  右入力
２６８  左出力
２７０  右出力
２８０  ディスプレイ
２８２  ディスプレイ
２８４  データ信号
２８６  クロック信号
２８８  コントロール信号
３００ａ〜３００ｅ  データドライバ
３０２ａ〜３０２ｅ  データドライバ
３０６  フレキシブルプリント回路
３０６ａ〜３０６ｂ  信号線
３０８  フレキシブルプリント回路
３１０ａ〜３１０ｂ  ディスプレイ
３１２  パワー信号線
３１４  クロック信号線
３１６  コントロール信号線
３１８  データ線
３４０  パルス
３４２  パルス
３５０  タイミング図
３６０ａ〜３６０ｂ  受信機
３６２ａ  トランシーバ
３６４  バススイッチ
４００  ラインバッファ
４０２  レベル・シフタ
４０４  ＤＡＣ
４０６  バッファ
４０８  出力マルチプレクサ
６０２  アルミニウムパッド
６０４  パッシベーション層
６０６  金導電層
６０８  金コンタクトバンプ
ＣＬＫ１〜ＣＬＫ３  クロック信号
ＣＬＫＤＤ１〜ＣＬＫＤＤ５  クロック信号
Ｄ１〜Ｄ１０  ピクセルデータ
ＰＯＬ  コントロール信号
ＳＴＨ  コントロール信号
ＴＰ１  コントロール信号
【図１】
2006350341.tif 000003
【図２】
2006350341.tif 000004
【図３】
2006350341.tif 000005
【図４】
2006350341.tif 000006
【図５】
2006350341.tif 000007
【図６】
2006350341.tif 000008
【図７】
2006350341.tif 000009
【図８】
2006350341.tif 000010
【図９】
2006350341.tif 000011
【図１０】
2006350341.tif 000012
【図１１】
2006350341.tif 000013
【図１２】
2006350341.tif 000014
【図１３】
2006350341.tif 000015
【図１４】
2006350341.tif 000016
【図１５】
2006350341.tif 000017
【図１６】
2006350341.tif 000018
【図１７】
2006350341.tif 000019
【外国語明細書】
2006350341.tif 000020
2006350341.tif 000021
2006350341.tif 000022
2006350341.tif 000023
2006350341.tif 000024
2006350341.tif 000025
2006350341.tif 000026
2006350341.tif 000027
2006350341.tif 000028
2006350341.tif 000029
2006350341.tif 000030
2006350341.tif 000031
2006350341.tif 000032
2006350341.tif 000033
2006350341.tif 000034
2006350341.tif 000035
2006350341.tif 000036
2006350341.tif 000037
2006350341.tif 000038
2006350341.tif 000039
2006350341.tif 000040
2006350341.tif 000041
2006350341.tif 000042
2006350341.tif 000043
2006350341.tif 000044
2006350341.tif 000045
2006350341.tif 000046
2006350341.tif 000047
2006350341.tif 000048
2006350341.tif 000049
2006350341.tif 000050
2006350341.tif 000051
2006350341.tif 000052
2006350341.tif 000053
2006350341.tif 000054
2006350341.tif 000055
2006350341.tif 000056
2006350341.tif 000057
2006350341.tif 000058
2006350341.tif 000059
2006350341.tif 000060
2006350341.tif 000061
2006350341.tif 000062
2006350341.tif 000063
2006350341.tif 000064